(57)【要約】【目的】携帯電話１のユーザの負担を軽減する。【構成】携帯電話１の表示画面５にはクリッカブルな文字列６が表示される。文字列６がクリックされると，動画ファイル送信サーバに動画リクエストが送信される。動画ファイル送信サーバにおいて動画リクエストが受信されると，１つめの動画ファイルが動画ファイル送信サーバから携帯電話１に送信される。携帯電話１において動画の再生が終了すると，再びクリッカブルな文字列６が表示画面５に表示される。文字列６が再びクリックされると，２つめの動画ファイルが動画ファイル送信サーバから携帯電話１に送信され，動画が再生される。文字列６がクリックされるだけで，複数の動画が順に表示画面５に表示される。【選択図】図５
2010232812.tif 000002
【特許請求の範囲】
【請求項１】
携帯電話から送信される動画リクエスト用ウェブ・ページをリクエストするウェブ・ページ・リクエストを受信するウェブ・ページ・リクエスト受信手段，
上記ウェブ・ページ・リクエスト受信手段によってウェブ・ページ・リクエストを受信したことに応じて，セッションＩＤを生成するセッションＩＤ生成手段，
上記セッションＩＤ生成手段によって生成されたセッションＩＤに対応してユーザの処理状況を表すステータスの初期値をインクレメント自在にセッション管理テーブルに格納するセッション管理テーブル格納手段，
上記ウェブ・ページ・リクエスト受信手段によってウェブ・ページ・リクエストを受信しことに応じて，クリックされることにより動画をリクエストするクリッカブルな文字列が含まれているウェブ・ページを表すウェブ・ページ・データを上記携帯電話に送信するウェブ・ページ・データ送信手段，
上記ウェブ・ページ・データ送信手段から上記携帯電話にウェブ・ページ・データが送信されたことに応じて，上記携帯電話の表示画面に表示されるウェブ・ページに含まれているクリッカブルな文字列がクリックされたことにより上記携帯電話から送信される動画リクエストを受信する動画リクエスト受信手段，および
上記動画リクエスト受信手段によって動画リクエストが受信されたことに応じて，動画送信順序を表す識別符号によって特定される複数の動画ファイルのうち，セッション管理テーブルに格納されているステータスに対応する識別符号によって特定される動画ファイルを上記携帯電話に送信し，かつセッション管理テーブルに格納されているステータスをインクレメントする動画ファイル送信制御手段，
を備えた動画ファイル送信サーバ。
【請求項２】
上記動画ファイル送信制御手段は，
上記動画リクエスト受信手段によって動画リクエストが受信されたことに応じて，上記セッション管理テーブルに格納されているステータスが初期値かどうかを判定するステータス判定手段を備え，
上記ステータス判定手段によって上記セッション管理テーブルに格納されているステータスが初期値であると判定されたことに応じて，広告ファイルを送信し，かつセッション管理テーブルに格納されているステータスをインクレメントするものであり，
上記ステータス判定手段によって，上記セッション管理テーブルに格納されているステータスが初期値でないと判定されたことに応じてセッション管理テーブルに格納されているステータスに対応する識別符号によって特定される動画ファイルを上記携帯電話に送信するものである，
請求項１に記載の動画ファイル送信サーバ。
【請求項３】
上記動画ファイル送信制御手段は，
上記ステータス判定手段によってセッション管理テーブルに格納されているステータスが初期値であると判定されたことに応じて，リクエストされた動画に対応して送信すべき広告ファイルが規定されている広告管理テーブルから送信すべき広告ファイルを決定し，決定された広告ファイルを上記携帯電話に送信するものである，
請求項２に記載の動画ファイル送信サーバ。
【請求項４】
ウェブ・ページ・リクエスト受信手段が，携帯電話から送信される動画リクエスト用ウェブ・ページをリクエストするウェブ・ページ・リクエストを受信し，
セッションＩＤ生成手段が，上記ウェブ・ページ・リクエスト受信手段によってウェブ・ページ・リクエストを受信したことに応じて，セッションＩＤを生成し，
セッション管理テーブル格納手段が，上記セッションＩＤ生成手段によって生成されたセッションＩＤに対応してユーザの処理状況を表すステータスの初期値をインクレメント自在にセッション管理テーブルに格納し，
ウェブ・ページ・データ送信手段が，上記ウェブ・ページ・リクエスト受信手段によってウェブ・ページ・リクエストを受信しことに応じて，クリックされることにより動画をリクエストするクリッカブルな文字列が含まれているウェブ・ページを表すウェブ・ページ・データを上記携帯電話に送信し，
動画リクエスト受信手段が，上記ウェブ・ページ・データ送信手段から上記携帯電話にウェブ・ページ・データが送信されたことに応じて，上記携帯電話の表示画面に表示されるウェブ・ページに含まれているクリッカブルな文字列がクリックされたことにより上記携帯電話から送信される動画リクエストを受信し，
動画ファイル送信制御手段が，上記動画リクエスト受信手段によって動画リクエストが受信されたことに応じて，動画送信順序を表す識別符号によって特定される複数の動画ファイルのうち，セッション管理テーブルに格納されているステータスに対応する識別符号によって特定される動画ファイルを上記携帯電話に送信し，かつセッション管理テーブルに格納されているステータスをインクレメントする，
動画ファイル送信サーバの動作制御方法。
【発明の詳細な説明】
【技術分野】
【０００１】
この発明は，動画ファイル送信サーバおよびその動作制御方法に関する。
【背景技術】
【０００２】
現在，動画ファイルをクライアント・コンピュータに送信するサービスが行われている。たとえば，クライアント・コンピュータに複数の動画コンテンツを順次送信し,コマーシャルの動画コンテンツも違和感無く送信するもの（特許文献１），クライアント・コンピュータに対して動画データを送信する場合にサーバの負荷を軽減するもの（特許文献２）などがある。
【０００３】
クライアント・コンピュータでは，キーボード，マウスなど入力インターフェイスが充実しているために複数の動画ファイルの中から所望の動画ファイルを選択することはユーザには負担とはならない。
【０００４】
しかしながら，携帯電話の入力インターフェイスはテン・キーパッドなどに限られるため複数の動画ファイルの中から所望の動画ファイルを選択することは難しい。
【０００５】
図10および図11は，携帯電話の表示画面の一例である。
【０００６】
図10を参照して，携帯電話１は折りたたみ自在な第１の半体２および第２の半体３を備えている。第１の半体２の上部にはアンテナ４が形成されている。第１の半体２の内面には表示画面２が形成されている。第２の半体３の内面にはテン・キーパッド（図示略）が形成されている。表示画面２には，「動画再生１」，「動画再生２」，「動画再生３」および「動画再生４」のクリッカブルな文字列51，52，53および54が表示されている。それぞれの文字列51〜54には対応する動画ファイルへのリンクが張られており，文字列51〜54のうちのいずれかの文字列がクリックされることにより，対応する動画が画像サーバにリクエストされる。リクエストされた動画を表す動画ファイルが画像サーバから携帯電話１に送信されると，図11に示すように表示画面５上にリクエストされた動画60が表示される。
【０００７】
「動画再生１」，「動画再生２」，「動画再生３」および「動画再生４」にリンクが張られている動画が連続するものであり，すべての動画を閲覧する場合には，携帯電話１のユーザは，「動画再生１」，「動画再生２」，「動画再生３」および「動画再生４」の文字列51〜54を最初から順にクリックする必要がある。携帯電話１の入力インターフェイスはテン・キーパッドなので文字列51〜54を順番に選択してクリックすることはユーザに負担となる。
【先行技術文献】
【特許文献】
【０００８】
【特許文献１】特開2004-135077号公報
【特許文献２】特開2008-71155号公報
【発明の概要】
【０００９】
この発明は，携帯電話のユーザの負担を軽減することを目的とする。
【００１０】
この発明による動画ファイル送信サーバは，携帯電話から送信される動画リクエスト用ウェブ・ページをリクエストするウェブ・ページ・リクエストを受信するウェブ・ページ・リクエスト受信手段，上記ウェブ・ページ・リクエスト受信手段によってウェブ・ページ・リクエストを受信したことに応じて，セッションＩＤを生成するセッションＩＤ生成手段，上記セッションＩＤ生成手段によって生成されたセッションＩＤに対応してユーザの処理状況を表すステータスの初期値をインクレメント自在にセッション管理テーブルに格納するセッション管理テーブル格納手段，上記ウェブ・ページ・リクエスト受信手段によってウェブ・ページ・リクエストを受信しことに応じて，クリックされることにより動画をリクエストするクリッカブルな文字列が含まれているウェブ・ページを表すウェブ・ページ・データを上記携帯電話に送信するウェブ・ページ・データ送信手段，上記ウェブ・ページ・データ送信手段から上記携帯電話にウェブ・ページ・データが送信されたことに応じて，上記携帯電話の表示画面に表示されるウェブ・ページに含まれているクリッカブルな文字列がクリックされたことにより上記携帯電話から送信される動画リクエストを受信する動画リクエスト受信手段，および上記動画リクエスト受信手段によって動画リクエストが受信されたことに応じて，動画送信順序を表す識別符号によって特定される複数の動画ファイルのうち，セッション管理テーブルに格納されているステータスに対応する識別符号によって特定される動画ファイルを上記携帯電話に送信し，かつセッション管理テーブルに格納されているステータスをインクレメントする動画ファイル送信制御手段を備えていることを特徴とする。
【００１１】
この発明は，上記動画ファイル送信サーバに適した動作制御方法も提供している。すなわち，この方法は，ウェブ・ページ・リクエスト受信手段が，携帯電話から送信される動画リクエスト用ウェブ・ページをリクエストするウェブ・ページ・リクエストを受信し，セッションＩＤ生成手段が，上記ウェブ・ページ・リクエスト受信手段によってウェブ・ページ・リクエストを受信したことに応じて，セッションＩＤを生成し，セッション管理テーブル格納手段が，上記セッションＩＤ生成手段によって生成されたセッションＩＤに対応してユーザの処理状況を表すステータスの初期値をインクレメント自在にセッション管理テーブルに格納し，ウェブ・ページ・データ送信手段が，上記ウェブ・ページ・リクエスト受信手段によってウェブ・ページ・リクエストを受信しことに応じて，クリックされることにより動画をリクエストするクリッカブルな文字列が含まれているウェブ・ページを表すウェブ・ページ・データを上記携帯電話に送信し，動画リクエスト受信手段が，上記ウェブ・ページ・データ送信手段から上記携帯電話にウェブ・ページ・データが送信されたことに応じて，上記携帯電話の表示画面に表示されるウェブ・ページに含まれているクリッカブルな文字列がクリックされたことにより上記携帯電話から送信される動画リクエストを受信し，動画ファイル送信制御手段が，上記動画リクエスト受信手段によって動画リクエストが受信されたことに応じて，動画送信順序を表す識別符号によって特定される複数の動画ファイルのうち，セッション管理テーブルに格納されているステータスに対応する識別符号によって特定される動画ファイルを上記携帯電話に送信し，かつセッション管理テーブルに格納されているステータスをインクレメントするものである。
【００１２】
この発明によると，携帯電話から送信された動画リクエスト用ウェブ・ページをリクエストするウェブ・ページ・リクエストが受信されると，セッションＩＤが生成される。すると，セッションＩＤに対応してステータスの初期値がセッションＩＤテーブルに格納される。また，ウェブ・ページ・データが生成されて，生成されたウェブ・ページ・データが動画ファイル送信サーバから携帯電話に送信される。携帯電話においてウェブ・ページ・データが受信されると，そのウェブ・ページ・データによって表されるウェブ・ページに含まれるクリッカブルな文字列がクリックされることにより動画リクエストが携帯電話から動画ファイル送信サーバに送信される。動画リクエストが動画ファイル送信サーバにおいて受信されると，セッション管理テーブルに格納されているステータスに対応する識別符号によって特定される動画ファイルが携帯電話に送信され，かつステータスがインクレメントされる。ステータスがインクレメントされるので，送信された動画ファイルによって表わされる動画が再生終了した後に動画リクエストが受信された場合には，送信した動画ファイルの次の動画ファイルが動画ファイル送信サーバから携帯電話に送信される。携帯電話のユーザは，ウェブ・ページに表示される１種類の文字列をクリックするだけで複数の動画ファイルによって表される複数の動画を順に閲覧できる。
【００１３】
上記動画ファイル送信制御手段は，上記動画リクエスト受信手段によって動画リクエストが受信されたことに応じて，上記セッション管理テーブルに格納されているステータスが初期値かどうかを判定するステータス判定手段を備えてもよい。この場合，上記ステータス判定手段によって上記セッション管理テーブルに格納されているステータスが初期値であると判定されたことに応じて，広告ファイルを送信し，かつセッション管理テーブルに格納されているステータスをインクレメントするものであり，上記ステータス判定手段によって，上記セッション管理テーブルに格納されているステータスが初期値でないと判定されたことに応じてセッション管理テーブルに格納されているステータスに対応する識別符号によって特定される動画ファイルを上記携帯電話に送信するものとなろう。
【００１４】
上記動画ファイル送信制御手段は，たとえば，上記ステータス判定手段によってセッション管理テーブルに格納されているステータスが初期値であると判定されたことに応じて，リクエストされた動画に対応して送信すべき広告ファイルが規定されている広告管理テーブルから送信すべき広告ファイルを決定し，決定された広告ファイルを上記携帯電話に送信するものである。
【図面の簡単な説明】
【００１５】
【図１】動画通信システムの概要を示している。
【図２】動画ファイル送信サーバの電気的構成を示すブロック図である。
【図３】動画管理テーブルの一例である。
【図４】セッション管理テーブルの一例である。
【図５】携帯電話の一例である。
【図６】動画ファイル送信サーバの処理手順の一部を示すフローチャートである。
【図７】動画ファイル送信サーバの処理手順の一部を示すフローチャートである。
【図８】ＣＭコンテンツ管理テーブルの一例である。
【図９】動画ファイル送信サーバの処理手順の一部を示すフローチャートである。
【図１０】携帯電話の一例である。
【図１１】携帯電話の一例である。
【実施例】
【００１６】
図１は，この発明の実施例を示すもので，動画通信システムの概要を示している。
【００１７】
動画通信システムには，携帯電話１と動画ファイル送信サーバ10とが含まれている。これらの携帯電話１と動画ファイル送信サーバ10とはインターネットのようなネットワークを介して互いに通信可能である。携帯電話１からのリクエストに応じて，動画ファイル送信サーバ10から動画ファイルが携帯電話１に送信される。携帯電話１の表示画面において動画が閲覧できる。
【００１８】
図２は，動画ファイル送信サーバ10の電気的構成を示すブロック図である。
【００１９】
携帯電話１から送信されたリクエストは，リクエスト処理装置11において受信される。受信されたリクエストに応じてプログラム制御装置12によって動作が制御される。
【００２０】
動画ファイル送信サーバ10には，多数の動画ファイル（ＣＭコンテンツを含む）および動画管理テーブルが格納されている動画ファイル・データベース14が含まれている  。動画ファイル・データベース14は，動画管理装置13によって制御される。
【００２１】
図３は，動画管理テーブルの一例である。
【００２２】
動画管理テーブルは，ユーザからリクエストされる動画を識別する動画ＩＤごとに動画順番および動画番号を格納するものである。動画順番は，図11に示したようにユーザに送信する動画が複数あった場合に，その送信の順番を示すものである。順番が分かれば，番号以外の符号でもよい。動画番号は，複数の動画を識別するもので，この動画番号も複数の動画を識別できれば番号以外の符号でもよい。
【００２３】
また，動画ファイル送信サーバ10には，セッション管理テーブルが格納されているセッション管理データベース16が含まれている。セッション管理データベース16は，セッション管理装置15によって制御される。
【００２４】
図４は，セッション管理テーブルの一例である。
【００２５】
セッション管理テーブルは，セッションＩＤに対応してステータスを格納するものである。セッションＩＤは，同一のユーザによる処理であることを識別するもので，後述するように動画リクエスト用ウェブ・ページをリクエストするウェブ・ページ・リクエストが動画ファイル送信サーバ１において受信されることによりセッション管理装置15において生成される。ステータスは，ユーザの処理状況を示すもので初期値は「−１」である。このステータスは，インクレメント可能なものである。ステータスは，数字でなくとも昇順または降順となるように順序が規定されており，インクレメントまたはデクレメント可能であればアルファベットなどのような符号でもよい。
【００２６】
図２に戻って，動画ファイル送信サーバ１にはさらにＣＭ挿入管理データベース18が含まれている。ＣＭ挿入管理データベース18は，ＣＭ挿入管理装置17によって制御される。ＣＭ挿入管理装置17およびＣＭ挿入管理データベース18は，後述するように動画をリクエストしたユーザに動画の閲覧前にＣＭを閲覧させるためのものである。これらのＣＭ挿入管理装置17およびＣＭ挿入管理データベース18は必ずしも設けなくともよい。
【００２７】
図５は，携帯電話１の表示画面を示している。
【００２８】
上述したように，携帯電話１には折り曲げ自在な第１の半体２および第２の半体３が含まれている。第１の半体２の上部にはアンテナ４が形成されており，第１の半体２の内面のほぼ全体に表示画面５が形成されている。表示画面５のほぼ中央には，クリッカブルな「動画再生」の文字列６が表示されている（図５の表示画面５に表示されている画像が動画リクエスト用ウェブ・ページである）。
【００２９】
後述するように，「動画再生」の文字列６には，動画ファイル送信サーバ１への動画リクエストのためのリンク（http://movie.cgi?cid=mov1&sid=abcd0001）が張られている（ウェブ・ページ・データに記述されている）。文字列６がクリックされることにより，文字列６に張られているリンクを表すデータが動画ファイル送信サーバ１に送信される。
【００３０】
携帯電話1から動画ファイル送信サーバ10に動画をリクエストする場合，まず，図5に示した動画リクエスト用ウェブ・ページが携帯電話１から動画ファイル送信サーバ10にリクエストされる。携帯電話１において動画リクエスト用ウェブ・ページが表示されると，そのウェブ・ページに含まれている文字列６がクリックされることにより動画リクエストが携帯電話１から動画ファイル送信サーバ10に送信される。この実施例では，図10に示すように，表示画面に複数の文字列51〜54を表示させて文字列51〜54を順にクリックさせることなく，１つの文字列６を用いて複数の動画が表示画面５に順に表示されるようになる。
【００３１】
図６および図７は，動画ファイル送信サーバ10の処理手順を示すフローチャートである。
【００３２】
動画ファイル送信サーバ10は携帯電話１から送信されるリクエスト待ちとなっており，携帯電話１から送信されたリクエストが受信されると（図６ステップ21でＹＥＳ），そのリクエストから携帯電話１のユーザが閲覧したい動画の動画ＩＤ（リクエストに含まれている）が読み取られる（図６ステップ22）。つづいて，携帯電話１から送信されたリクエストが動画リクエスト用ウェブ・ページのリクエストかどうかが判定される（図６ステップ23）。動画リクエスト用ウェブ・ページのＵＲＬ（Uniform Resource Locator）がリクエストされると，動画リクエスト用ウェブ・ページのリクエストと判定される。動画リクエスト用ウェブ・ページのＵＲＬは携帯電話１のユーザはあらかじめ知っているのはいうまでもない。
【００３３】
リクエストが動画リクエスト用ウェブ・ページのリクエストであると判定されると（図６ステップ23でＹＥＳ），セッション管理装置13においてセッションＩＤが生成される（図６ステップ24）。セッションＩＤが生成されると，生成されたセッションＩＤがセッション管理テーブルに格納されて，ステータスが初期化（−１）される（図６ステップ25）。
【００３４】
つづいて，動画リクエスト用ウェブ・ページを用いてリクエストできる動画のＵＲＬにその動画を識別する動画ＩＤおよびセッションＩＤが付加されたリンクが埋め込まれたウェブ・ページ・データが生成される（図６ステップ26）。生成されたウェブ・ページ・データが動画ファイル送信サーバ10から携帯電話１に送信される（図６ステップ27）。動画ファイル送信サーバ10に終了コマンドが与えられなければ（図６ステップ28でＮＯ），動画ファイル送信サーバ10はリクエスト待ちとなる。
【００３５】
動画ファイル送信サーバ10から送信されたウェブ・ページ・データが携帯電話１において受信されると，携帯電話１の表示画面には図５に示すように，文字列６を含む動画リクエスト用ウェブ・ページが表示される。この文字列６には，上述したように，動画リクエスト用ウェブ・ページを用いてリクエストできる動画のＵＲＬにその動画を識別する動画ＩＤ（mov1）およびセッションＩＤ（abcd0001）が付加されたリンクが張られている。文字列６がクリックされると，携帯電話１から動画ファイル送信サーバ10に，文字列６に張られているリンクを含む動画リクエストが送信される。
【００３６】
携帯電話１から送信された動画リクエストが動画ファイル送信サーバ10において受信されると（図６ステップ21でＹＥＳ，図７ステップ31でＹＥＳ），動画リクエストに含まれているリンクに記述されているセッションＩＤに対応するステータスがセッション管理テーブルから読み取られる（図７ステップ32）。また，ステータスがインクレメントされ，かつ動画リクエストに含まれているリンクに記述されている動画ＩＤが読み取られ，その動画ＩＤに対応した動画順番の中に，インクレメントされたステータスに対応する動画順番が動画管理テーブルに格納されているかどうかがチェックされる（図７ステップ33）。
【００３７】
動画ＩＤに対応した動画順番が動画管理テーブルに格納されていると（図７ステップ34でＹＥＳ），その動画順番に対応する動画番号が動画管理テーブルから読み取られる（図７ステップ35）。読み取られた動画番号に対応して動画ファイル・データベース14に格納されている動画ファイルが読み取られ，その読み取られた動画ファイルが動画ファイル送信サーバ10から携帯電話１に送信される（図７ステップ36）。
【００３８】
携帯電話１に動画ファイルが送信され，その動画ファイルによって表わされる動画の閲覧が終了すると，携帯電話１のテン・キーパッドのうち所定のキーパッドが押されることにより，携帯電話１の表示画面は，動画表示から再び図５に示す動画リクエスト用ウェブ・ページが表示されることとなる。再び文字列６がクリックされると，携帯電話１から動画ファイル送信サーバ10に動画リクエストが送信される。
【００３９】
動画ＩＤに対応した動画順番が動画管理テーブルに格納されていないと（図７ステップ34でＮＯ），その動画ＩＤに対応する動画ファイルはすべて携帯電話１に送信されたこととなるので，ステータスがクリアされる（図７ステップ37）。
【００４０】
終了コマンドが与えられなければ（図７ステップ38でＮＯ），再びリクエスト待ちとなる（図６ステップ21）。
【００４１】
たとえば，図５に示す動画リクエスト用ウェブ・ページが携帯電話１の表示画面５に表示されて文字列６が最初にクリックされると，ステータスは初期値である「−１」からインクレメントされて「０」となる（図７ステップ33）。「０」のステータスに対応する動画順番「０００」が動画管理テーブルに格納されているから，その動画順番「０００」に対応する動画番号「12345670」が読み取られ，その動画番号「12345670」の動画ファイルが携帯電話１に送信されることとなる。
【００４２】
動画番号「1234570」の動画の閲覧が終了して，携帯電話１のユーザによって携帯電話１の所定のキーパッドが押されると，上述したように，再び図５に示す動画リクエスト用ウェブ・ページが携帯電話１の表示画面５に表示される。再び文字列６がクリックされると，携帯電話１から動画ファイル送信サーバ10に動画リクエストが送信されるから,セッションＩＤに対応したステータスがインクレメントされ（図７ステップ33），そのインクレメントされたステータスに対応する動画順番が動画管理テーブルから読み取られる。二度目の動画リクエストでは動画順番は「００１」となるから，その動画順番に対応する二番目の動画番号「123456701」に対応する動画ファイルが動画ファイル送信サーバ10から携帯電話１に送信される。
【００４３】
以下同様に，動画順番にしたがって，複数の動画ファイルが順に動画ファイル送信サーバ10から携帯電話１に送信される。携帯電話１のユーザは，図５に示す動画リクエスト用ウェブ・ページの１つの文字列６をクリックすることにより，複数の動画を順に閲覧できるようになる。
【００４４】
図８および図９は，他の実施例を示すものである。この実施例は，上述のように複数の動画ファイルを動画順番にしたがって順に携帯電話１に送信する場合において，最初にＣＭコンテンツ（ＣＭ動画ファイル，ＣＭ静止画ファイル，ＣＭ音声ファイル）を携帯電話１に送信するものである。
【００４５】
図８は，ＣＭコンテンツ管理テーブルの一例である。
【００４６】
ＣＭコンテンツ管理テーブルは，動画ＩＤごとにＣＭ決定方法およびＣＭコンテンツＩＤを格納するテーブルであり，上述したＣＭ挿入管理データベース18（図２参照）に格納されている。ＣＭ決定方法は，携帯電話１に送信されるＣＭの送信の有無等を決定する方法を規定するものである。ＣＭ決定方法の「０」はＣＭコンテンツの送信をしないことを表し，「１」はＣＭコンテンツＩＤによって規定される固定のＣＭコンテンツを送信することを表し，「２」はランダムに決定されるＣＭコンテンツを送信することを表している。ＣＭコンテンツＩＤは，送信するＣＭコンテンツを識別するものである。ＣＭコンテンツＩＤは，ＣＭ種別が「０」であれば空となり，ＣＭ種別が「１」であればあらかじめ規定されているＣＭコンテンツＩＤが格納され，ＣＭ種別が「２」であればＣＭ種別が読み取られたときにランダムなＣＭコンテンツＩＤが決定される。
【００４７】
図９は，動画ファイル送信サーバ10の処理手順の一部を示すフローチャートであり，図７の処理に対応している。
【００４８】
携帯電話１から動画ファイル送信サーバ10に送信されたリクエストが動画リクエストであれば（図９ステップ41），上述のように，動画リクエストに含まれているリンクに記述されているセッションＩＤが読み取られ，そのセッションＩＤに対応するステータスがセッション管理テーブルから読み取られる（図９ステップ42）。ステータスが未アクセスを示していると（図９ステップ43でＹＥＳ），携帯電話１にＣＭコンテンツを送信していないので（ＣＭコンテンツの送信の有無を判断していないので），動画リクエストに含まれているリンクに記述されている動画ＩＤに対応するＣＭ決定方法がＣＭコンテンツ管理テーブルから読み取られる（図９ステップ44）。ステータスがインクレメントされて（図９ステップ45），ＣＭ決定方法が「０」かどうかが判定される（図９ステップ46）。
【００４９】
ＣＭ決定方法が「０」でなければ（図９ステップ46でＮＯ），携帯電話１にＣＭコンテンツが送信されることとなるから，動画ＩＤに対応するＣＭコンテンツＩＤがＣＭコンテンツ管理テーブルから読み取られる（図９ステップ47）。読み取られたＣＭコンテンツＩＤに対応するＣＭコンテンツが動画ファイル・データベース14から読み取られ，そのＣＭコンテンツが動画ファイル・データベース10から携帯電話１に送信される（図９ステップ48）。終了コマンドがなければ（図９ステップ49でＮＯ），リクエスト待ちとなる（図６ステップ21）。その後は，上述したように，携帯電話１における動画用リクエスト・ウェブ・ページの文字列６のクリックに応じて携帯電話１から送信される動画リクエストにしたがって，動画番号によって規定される動画ファイルが順に携帯電話１に送信される。
【００５０】
ステータスが未アクセスでなければ（図９ステップ43でＮＯ），ＣＭコンテンツを携帯電話１に送信するかどうかの判定がすでに行われており，かつＣＭコンテンツを送信すると判定されていた場合にはＣＭコンテンツが携帯電話１に送信されている。このために，携帯電話１に送信する動画ファイルを決定するために，上述のように図７ステップ33以降の処理が行われる。また，ステータスが未アクセスを示している場合であってもＣＭ決定方法が「０」を示していると（図９ステップ46でＹＥＳ），携帯電話１にＣＭコンテンツを送信する必要が無いので，上述のように図７ステップ33以降の処理が行われる。
【００５１】
複数の動画ファイルが送信される場合でも，動画ファイルを送信する前にＣＭコンテンツを送信できるようになる。
【符号の説明】
【００５２】
１  携帯電話
10  動画ファイル送信サーバ
11  リクエスト処理装置（ウェブ・ページ・リクエスト受信手段，ウェブ・ページ・データ送信手段，動画リクエスト受信手段）
12  プログラム制御装置（動画ファイル送信制御手段）
15  セッション管理装置（セッションＩＤ生成手段，セッション管理テーブル格納手段）
【図１】
2010232812.tif 000003
【図２】
2010232812.tif 000004
【図３】
2010232812.tif 000005
【図４】
2010232812.tif 000006
【図５】
2010232812.tif 000007
【図６】
2010232812.tif 000008
【図７】
2010232812.tif 000009
【図８】
2010232812.tif 000010
【図９】
2010232812.tif 000011
【図１０】
2010232812.tif 000012
【図１１】
2010232812.tif 000013